(57)【要約】【課題】  サッシ等窓の施錠操作をする際に、クレセント受け部の被係合部に操作者の袖などが引っかかることを防ぐ。【解決手段】  建具の障子又は枠体に取付けられるクレセントとクレセント受けを備え、クレセント受けは、障子の框に固定される固定部と、クレセントが係合する被係合部を有する受け部を備え、被係合部は受け部の室内側端よりも室外側に位置している。【選択図】図４
2019060223.tif 000002
【特許請求の範囲】
【請求項１】
建具の障子又は枠体に取付けられるクレセントとクレセント受けを備え、
クレセント受けは、障子の框に固定される固定部と、クレセントが係合する被係合部を有する受け部を備え、
被係合部は受け部の室内側端よりも室外側に位置しているクレセント錠。
【請求項２】
建具の障子又は枠体に取付けられるクレセントとクレセント受けを備え、
クレセント受けは、障子の框に固定される固定部と、クレセントの係合爪が係合する被係合部を有する受け部と、固定部と受け部を連結する連結部を備え、
クレセントは、ハンドルと、ハンドルの回動に伴ってクレセント受けの被係合部に係合する係合爪と、ハンドルの回動に伴って室外側に突出し、突出が妨げられることによりハンドルの回動を許容するトリガー部を備え、
被係合部は受け部の室内側端よりも室外側に位置しており、
連結部は、障子の閉鎖状態において、ハンドルの回動に伴って突出するクレセントのトリガー部の突出を妨げる位置に配置され、固定部側から受け部側にいくにしたがって室内側に位置する傾斜面を有するクレセント錠。
【発明の詳細な説明】
【技術分野】
【０００１】
建築物等の開口部に配置されるサッシに取付けられるクレセント錠に関する。
【背景技術】
【０００２】
従来、建物開口部に配置されるサッシの閉鎖状態を維持する錠として、クレセントとクレセント受け部を備えるクレセント錠が公知となっている。
【先行技術文献】
【特許文献】
【０００３】
【特許文献１】特許第４５５９２６１号公報
【発明の概要】
【発明が解決しようとする課題】
【０００４】
上記特許文献１のクレセント錠は、クレセントを受ける被係合部を室内側に突出させることで、クレセントの掛部が被係合部に係合可能になっている。しかし、クレセント受け部の室内側に被係合部が突出していると、クレセントの操作時などに操作する人の袖などが被係合部に引っかかるなどの危険性があった。
【０００５】
本発明は、上記の事情を鑑み、サッシ等窓の施錠操作をする際に、クレセント受け部の被係合部に操作者の袖などが引っかかることを防ぐことを目的とする。
【課題を解決するための手段】
【０００６】
本発明の一つの実施形態は、建具の障子又は枠体に取付けられるクレセントとクレセント受けを備え、クレセント受けは、障子の框に固定される固定部と、クレセントが係合する被係合部を有する受け部を備え、被係合部は受け部の室内側端よりも室外側に位置しているクレセント錠である。
【発明の効果】
【０００７】
本実施形態によれば、サッシ等窓を施錠する際に、クレセント受け部の係合爪に操作者の袖が引っかかることを防ぐことができる。
【図面の簡単な説明】
【０００８】
【図１】本発明の実施形態に係るクレセント錠が取り付けられたサッシの内観図である。
【図２】本発明の実施形態に係るクレセント錠が取り付けられたサッシの召合せ部の図であり、（ａ）はクレセント錠を外障子側から見た図であり、（ｂ）はクレセント錠の部分を上から見た横断面図である。
【図３】本発明の実施形態に係るクレセント錠が取り付けられたサッシの外障子の召合せ框に対するクレセント受けの取付斜視図である。
【図４】本発明の実施形態に係るクレセント錠のクレセント受けの図であり、（ａ）は平面図、（ｂ）は側面図、（ｃ）は正面図である。
【図５】本発明の他の実施形態に係るクレセント錠のクレセント受けの図であり、（ａ）は平面図、（ｂ）は側面図、（ｃ）は正面図、（ｄ）及び（ｅ）は斜視図である。
【図６】（ａ）は本発明の他の実施形態に係るクレセント錠が取り付けられたサッシの召合せ部のクレセント錠の部分を上から見た横断面図であり、（ｂ）は本発明の他の実施形態に係るクレセント錠のクレセント受け正面図である。
【図７】本発明の実施形態に係るクレセント錠のクレセント受けが取り付けられた召合せ部の図であり、（ａ）は室外側から見た斜視図、（ｂ）は横断面図である。
【発明を実施するための形態】
【０００９】
本発明の一実施形態のクレセント錠について、図面を参考にして説明する。
本実施形態のクレセント錠は、図１に示すように、建物開口部に配置される枠体１０に対して、摺動自在に配置される内障子２０及び外障子３０の召合せ部などに配置される。
本実施形態のクレセント錠は、内障子２０の召合せ框２３に固定されるクレセント５０と、外障子３０の召合せ框３４に固定されるクレセント受け６０を有しており、内、外障子２０，３０の閉鎖時に両者が係合することで、内、外障子２０，３０の開放を規制する。
【００１０】
クレセント５０は、図２に示すように、内障子２０の召合せ框２３の外周面に固定されるボックス状の本体部５１と、本体部５１に回動自在に取り付けられたハンドル５２と、ハンドル５２とともに回動する係合爪５３と、ハンドル５２の回動に伴って本体部５１の室外側面から室外方向へ突出するトリガー部５４を備えている。
本体部５１には、ハンドル５２の回動に伴ってトリガー部５４を室外側に突出させると共に、トリガー部５４が完全に突出した状態でのハンドル５２の回動を規制する回動規制手段が内装されている。
【００１１】
本実施形態におけるクレセント５０が固定される内障子２０の召合せ框２３は、室外側面に煙返し、及び、外障子３０の召合せ框３４の室内側面に当接する気密材ｓを有している。なお、召合せ框２３の構成は、クレセント５０を固定することができれば、特に限定されるものではない。
【００１２】
クレセント受け６０は、図３に示すように、クレセント５０の係合爪５３が係合する被係合部６４が設けられた受け部６１と、外障子３０の召合せ框３４に固定される固定部６２と、受け部６１と固定部６２とを連結する連結部６３を備えている。
そして、クレセント受け６０は、固定部６２が外障子３０の召合せ框３４のパネル間口を構成する室内側壁３４１にネジ等の固定手段ｂ，ｂで固定されることで召合せ框３４の内周に固定されている。
【００１３】
本実施形態におけるクレセント受け６０が固定される外障子３０の召合せ框３４は、パネル間口を構成する室内側壁３４１及び室外側壁３４２の内周端に互いに近接する内周側壁部３４１ａ，３４２ａを有しており、図２（ａ）に示すように、室内側壁３４１の内周側壁部３４１ａのクレセント受け６０が配置される領域に切欠き部３４１ｂが形成されている。クレセント受け６０は、切欠き部３４１ｂからパネル間口内に挿入された固定部６２が室内側壁３４１の室外側面に当接して配置され、ビス等の固定手段ｂ，ｂによって固定されている。
なお、召合せ框３４の構成は、クレセント受け６０を固定することができれば、特に限定されるものではない。
【００１４】
クレセント受け６０の固定部６２は、図４に示すように、上下に２つのネジ孔６２ａ，６２ａを有する板状部材であり、固定部６２を召合せ框３４の内周側壁部３４１ａの切欠き部３４１ｂから室内側壁３４１の室外側面に挿入させることができ、挿入した固定部６２が召合せ框３４の室内側面からネジ等の固定手段ｂ，ｂを用いて固定される。
【００１５】
連結部６３は、固定部６２の内周側に連設されて固定部６２側から受け部６１側にいくにしたがって室内側に位置する傾斜面６３ａを有している。連結部６３の傾斜面６３ａは、内、外障子２０，３０の閉鎖時にクレセント５０のトリガー部５４の室外側に位置している。また、連結部６３の内周側端縁、すなわち受け部６１との連結位置は、外障子３０の室内側壁３４１の室内側面よりも室内側に位置しているのが好ましい。
【００１６】
受け部６１は、連結部６３の内周側端部であって上下端部付近より内周側に延設する上腕部６１ａ及び下腕部６１ｂと、上、下腕部６１ａ，６１ｂの内周端部同士を連結するとともに被係合部６４が設けられる支持部６１ｃを有しており、上、下腕部６１ａ，６１ｂの室内側面には、リブ部６１ｄ，６１ｄが形成されている。
支持部６１ｃは、上腕部６１ａ及び下腕部６１ｂに連設されて室外側に傾斜する上下の傾斜部と、上下の傾斜部の間に連設され、被係合部６４が設けられる被係合部支持部を有している。
【００１７】
被係合部６４は、受け部６１の被係合部支持部の外周側が室内側に屈曲されて形成される立上り部６４ａと、立上り部６４ａの室内側端が外周側に屈曲されて形成されてなる被係合爪６４ｂを有している。被係合爪６４ｂの室内側端部は、受け部６１の上、下腕部６１ａ，６１ｂの室内側面もしくはリブ部６１ｄ，６１ｄの室内側端よりも室外側に配置されており、受け部６１よりも室内側に突出しないように形成されている。
【００１８】
そして、クレセント錠は、図２（ｂ）示すように、内、外障子２０，３０の閉鎖状態において、クレセント５０のハンドル５２を回動することで、クレセント５０の係合爪５３がクレセント受け６０の被係合部６４に上方から係合して内、外障子２０，３０の開放を規制することができる。
このとき、ハンドル５２の回動に伴ってトリガー部５４が室外側に突出するが、内、外障子２０，３０の閉鎖状態において、トリガー部５４の室外側位置にはクレセント受け６０の連結部６３が位置しており、該連結部６３によってトリガー部５４の突出が妨げられる。そのため、本体部５１に内装された回動規制手段によってハンドル５２の回動が規制されることなく、係合爪５３を被係合部６４に係合することができる。
【００１９】
一方、内、外障子２０，３０が完全に閉鎖しておらず、ハンドル５２を回しても、クレセント５０の係合爪５３がクレセント受け６０の被係合部６４に係合せずに空掛けとなる状態では、トリガー部５４の室外側位置にクレセント受け６０の連結部６３が位置しておらず、トリガー部５４の突出を阻止することができない。したがって、トリガー部５４が完全に突出し、本体部５１に内装された回動規制手段によってハンドル５２の回動が規制されて、空掛けを防止することができる。
なお、トリガー部を備えた空掛けを防止するための構成は、特に限定されるものではなく、公知の如何なる空掛け防止手段を採用してもよい。また、クレセント錠は、空掛け防止手段を備えていることが好ましいが、必ずしも空掛け防止手段を備えていなくてもよい。
【００２０】
−他の実施形態−
本発明の他の実施形態のクレセント錠のクレセント受け６０を、図５に示す。なお、クレセント５０については、先の実施形態と同様であるので、説明は省略する。また、図５において、先の実施形態のクレセント受けと同様の部位には、同じ符号をつけている。
本実施形態のクレセント錠のクレセント受け６０は、クレセント５０の係合爪５３が係合する被係合部６４が設けられた受け部６１と、外障子３０の召合せ框３４に固定される固定部６２を備えている。
そして、本実施形態のクレセント受け６０は、主に、受け部６１と固定部６２との連結部分の構成が、先の実施形態のクレセント受け６０の連結部６３と異なっている。以下、説明する。
【００２１】
本実施形態のクレセント受け６０の固定部６２は、図５（ｃ）ないし（ｅ）に示すように、外障子３０の召合せ框３４の内周側壁部３４１ａの切欠き部３４１ｂから室内側壁３４１の室外側面に挿入される部分６２ｂと、室内側壁３４１の切欠き部３４１ｂの内周側に突出する部分６２ｃとを有する板状に形成されている。
【００２２】
そして、室内側壁３４１の切欠き部３４１ｂの内周側に突出する部分６２ｃの上下部分には、固定部６２よりも室内側に位置するように受け部６１の上腕部６１ａ及び下腕部６１ｂが形成されており、固定部６２と上腕部６１ａ及び下腕部６１ｂは、見込み方向の壁により連結されている。
【００２３】
したがって、本実施形態のクレセント錠のおいては、図６（ａ）に示すように、ハンドル５２の回動に伴ってトリガー部５４が室外側に突出した際に、トリガー部５４が、固定部６２の室内側壁３４１の内周側に突出する部分６２ｃの点ｐに当接させることができるので、傾斜面に対するよりも当接を安定させることができる。
また、図７（ａ）（ｂ）に示すように、内、外障子２，３の開閉途中に気密材ｓが当接する部分が受け部６１の上腕部６１ａ及び下腕部６１ｂだけとなるので、気密材ｓにかかる抵抗が少なく、内、外障子のスムーズな開閉を行うことができる。
【００２４】
以上のように、本発明の実施形態に係るクレセント錠においては、クレセント５０の係合爪５３が係合する被係合部６４が、被係合部６４を支持する受け部６１の室内側面よりも室外側に収まっているので、被係合部６４が室内側に必要以上に突出することがなく、被係合爪６４ｂに服等が引っかかって破損することを防止することができる。
【００２５】
そして、クレセント受け６０の固定部６２と受け部６１とが、傾斜面６３ａを有する連結部６３により連結されている場合には、強度の向上を図ることができ、また、内、外障子２０，３０の開閉時に内障子２０の召合せ框２３に設けた気密材ｓに接触しても、抵抗が少なく、内、外障子２０，３０の開閉抵抗を軽減することができる。
また、クレセント受け６０の固定部６２と受け部６１とが、見込み方向の壁により連結されている場合には、内、外障子２０，３０の開閉時に内障子２０の召合せ框２３に設けた気密材ｓに接触する範囲を小さくすることができるので、内、外障子２０，３０の開閉抵抗をより軽減することができる。
【００２６】
なお、本実施形態のクレセント錠が取り付けられるサッシは、引違いサッシに限定されるものではなく、片引き窓や上げ下げ窓であってもよい。すなわち、本発明のクレセント錠は、本発明の要旨を変更しない範囲において、如何なるサッシに対しても用いることができる。なお、片引き窓のサッシに取付ける場合などには、クレセントもしくはクレセント受けのいずれかは、建物開口部に配置されたサッシの枠体に設けることもできる。
【符号の説明】
【００２７】
１０      ：枠体
２０      ：内障子
２３      ：召合せ框
３０      ：外障子
３４      ：召合せ框
５０      ：クレセント
５１      ：本体部
５２      ：ハンドル
５３      ：係合爪
５４      ：トリガー部
６０      ：クレセント受け
６１      ：受け部
６２      ：固定部
６３      ：連結部
６４      ：被係合部
【図１】
2019060223.tif 000003
【図２】
2019060223.tif 000004
【図３】
2019060223.tif 000005
【図４】
2019060223.tif 000006
【図５】
2019060223.tif 000007
【図６】
2019060223.tif 000008
【図７】
2019060223.tif 000009